(57)【特許請求の範囲】
【請求項１】
電源のオフに伴って稼動が停止される熱源及び冷却部と、
電源オフ時に前記冷却部が停止した際、熱源近傍の、機械動作中もしくはアイドリング中より最も温度が上昇する部品と、
前記部品近傍の温度を検知する温度検知部と、
を備える画像形成装置において、
電源オフのトリガがなされた場合、前記温度検知部により検知された前記部品の温度をモニタし、前記温度検知部により検知された温度が、その後に画像形成装置に不具合の生じるおそれのある温度にまで達する第１の規定温度以下の場合には電源をオフし、前記温度検知部により検知された温度が、前記第１の規定温度以上の場合には前記熱源のみをオフするとともに、前記第１の規定温度よりも低く設定され、当該検知された温度がその後に画像形成装置に不具合の生じるおそれのある温度に達しない第２の規定温度以下になると前記電源をオフする制御部を備える画像形成装置。
【請求項２】
電源のオフに伴って稼動が停止される熱源及び冷却部と、
電源オフ時に前記冷却部が停止した際、熱源近傍の、機械動作中もしくはアイドリング中より最も温度が上昇する部品と、
前記部品近傍の温度を検知する温度検知部と、
を備える画像形成装置において、
電源オフのトリガがなされた場合、連続してプリントされた枚数が規定枚数以上、且つプリント終了からの経過時間が規定時間以下の条件を満たさない場合には電源をオフし、前記条件を満たした場合には前記熱源のみをオフするとともに、前記温度検知部により検知された前記部品の温度をモニタし、前記温度検知部により検知された温度が規定温度以下になると前記電源をオフする制御部を備える画像形成装置。
【請求項３】
電源オン及びオフの操作入力を受け付ける電源スイッチを備え、
前記制御部は、前記電源スイッチを介して電源オフの操作入力がされることを前記電源オフのトリガとする請求項１又は２に記載の画像形成装置。
【請求項４】
電源オン及びオフの操作入力を受け付けるシャットオフスイッチを備え、
前記制御部は、前記シャットオフスイッチを介して電源オフの操作入力がされることを前記電源オフのトリガとする請求項１又は２に記載の画像形成装置。
【請求項５】
前記制御部は、一定時間のカウントを行い、機械操作が当該一定時間行われないことを前記電源オフのトリガとする請求項１又は２に記載の画像形成装置。
【請求項６】
前記制御部は、予め設定された時刻になることを前記電源オフのトリガとする請求項１又は２に記載の画像形成装置。
【請求項７】
電源のオフに伴って稼動が停止される熱源及び冷却部と、
電源オフ時に前記冷却部が停止した際、熱源近傍の、機械動作中もしくはアイドリング中より最も温度が上昇する部品と、
前記部品近傍の温度を検知する温度検知部と、
を備える画像形成装置において、
一定時間のカウントを行い、機械操作が当該一定時間行われないことによる電源オフのトリガがあると、前記温度検知部により検知された前記部品の温度をモニタし、前記温度検知部により検知された温度が規定温度以上であれば、電源をオフせず、前記一定時間のカウントを初期化し、前記温度検知部により検知された温度が規定温度未満になると前記冷却部及び電源をオフする制御部を備える画像形成装置。
【請求項８】
前記冷却部が冷却ファンである請求項１〜７のいずれか一項に記載の画像形成装置。
【請求項９】
前記熱源が定着部である請求項１〜８のいずれか一項に記載の画像形成装置。
【発明の詳細な説明】
【技術分野】
【０００１】
本発明は、画像形成装置に関する。
【背景技術】
【０００２】
画像形成装置（複写機、ファクシミリ、プリンタ、スキャナ及びそれらの多機能複合機を含む）は、プリント等の動作を行うと、例えば定着ヒータなどの熱源の加熱により、機内温度が上昇する。機内温度の上昇は、各種センサ、ＩＣ等の電子部品など、所定の部品の故障、トナー溶解などの不具合の原因になる。故に、冷却部による所定の部品の冷却が必要となる。
【０００３】
従来では、例えば、画像形成装置がスリープモードに入り、画像読取部の電源がオフになった際、冷却部により画像読取部に連結したヒートパイプを冷却する事によって、スリープモードに移行した後もそのまま画像読取部の冷却を行う技術が開示されている（特許文献１参照）。
【０００４】
また、連続コピー枚数と紙サイズ、非通紙部の温度により、ファンを駆動する条件となるコピー枚数を設定し、定着部の加熱ローラの非通紙部の温度上昇を防止する技術が開示されている（特許文献２参照）。
【０００５】
また、画像形成装置の電源をオフとする操作入力時において、温度をモニタしている部品のその時の温度に応じて電源オフ後の冷却部の駆動時間をセットし、駆動時間が終了した時点で冷却部の駆動を終了する技術が開示されている（特許文献３参照）。
【特許文献１】特開２００２−２７１６７号公報
【特許文献２】特開平１１−１７４８７７号公報
【特許文献３】特開平１０−１０９５５号公報
【発明の開示】
【発明が解決しようとする課題】
【０００６】
しかしながら、特許文献１の発明では電源オフ後の画像読取部の冷却において、画像読取部の温度状況がモニタされていない。また、特許文献２の発明では、電源オフ後の定着部の加熱ローラの非通紙部の温度上昇について、考慮されていない。また、画像形成装置は、電源オフ後に動作中やアイドリング中より温度が上昇する部品が存在するが、特許文献３の発明については、電源オフ後の画像形成装置機内の蓄熱の影響が考慮されていない。その為、電源オフ後の機内温度上昇による部品の破損や不具合の生じる恐れがあり、また冷却部を余分に駆動してしまう恐れがあった。
【０００７】
本発明は、電源オフ後の機内温度上昇による部品の破損、不具合を防ぐと共に、省電力化を図る事を目的としている。
【課題を解決するための手段】
【０００８】
請求項１に記載の発明は、
電源のオフに伴って稼動が停止される熱源及び冷却部と、
電源オフ時に前記冷却部が停止した際、熱源近傍の、機械動作中もしくはアイドリング中より最も温度が上昇する部品と、
前記部品近傍の温度を検知する温度検知部と、
を備える画像形成装置において、
電源オフのトリガがなされた場合、前記温度検知部により検知された前記部品の温度をモニタし、前記温度検知部により検知された温度が、その後に画像形成装置に不具合の生じるおそれのある温度にまで達する第１の規定温度以下の場合には電源をオフし、前記温度検知部により検知された温度が、前記第１の規定温度以上の場合には前記熱源のみをオフするとともに、前記第１の規定温度よりも低く設定され、当該検知された温度がその後に画像形成装置に不具合の生じるおそれのある温度に達しない第２の規定温度以下になると前記電源をオフする制御部を備える。
【０００９】
請求項２に記載の発明は、
電源のオフに伴って稼動が停止される熱源及び冷却部と、
電源オフ時に前記冷却部が停止した際、熱源近傍の、機械動作中もしくはアイドリング中より最も温度が上昇する部品と、
前記部品近傍の温度を検知する温度検知部と、
を備える画像形成装置において、
電源オフのトリガがなされた場合、連続してプリントされた枚数が規定枚数以上、且つプリント終了からの経過時間が規定時間以下の条件を満たさない場合には電源をオフし、前記条件を満たした場合には前記熱源のみをオフするとともに、前記温度検知部により検知された前記部品の温度をモニタし、前記温度検知部により検知された温度が規定温度以下になると前記電源をオフする制御部を備える。
【００１０】
請求項３に記載の発明は、請求項１又は２に記載の画像形成装置において、
電源オン及びオフの操作入力を受け付ける電源スイッチを備え、
前記制御部は、前記電源スイッチを介して電源オフの操作入力がされることを前記電源オフのトリガとする。
【００１１】
請求項４に記載の発明は、請求項１又は２に記載の画像形成装置において、
電源オン及びオフの操作入力を受け付けるシャットオフスイッチを備え、
前記制御部は、前記シャットオフスイッチを介して電源オフの操作入力がされることを前記電源オフのトリガとする。
【００１２】
請求項５に記載の発明は、請求項１又は２に記載の画像形成装置において、
前記制御部は、一定時間のカウントを行い、機械操作が当該一定時間行われないことを前記電源オフのトリガとする。
【００１３】
請求項６に記載の発明は、請求項１又は２に記載の画像形成装置において、
前記制御部は、予め設定された時刻になることを前記電源オフのトリガとする。
【００１４】
請求項７に記載の発明は、
電源のオフに伴って稼動が停止される熱源及び冷却部と、
電源オフ時に前記冷却部が停止した際、熱源近傍の、機械動作中もしくはアイドリング中より最も温度が上昇する部品と、
前記部品近傍の温度を検知する温度検知部と、
を備える画像形成装置において、
一定時間のカウントを行い、機械操作が当該一定時間行われないことによる電源オフのトリガがあると、前記温度検知部により検知された前記部品の温度をモニタし、前記温度検知部により検知された温度が規定温度以上であれば、電源をオフせず、前記一定時間のカウントを初期化し、前記温度検知部により検知された温度が規定温度未満になると前記冷却部及び電源をオフする制御部を備える制御部を備える。
【００１８】
請求項８に記載の発明は、請求項１〜７のいずれか一項に記載の画像形成装置において、前記冷却部が冷却ファンである。
【００１９】
請求項９に記載の発明は、請求項１〜８のいずれか一項に記載の画像形成装置において、前記熱源が定着部である。
【発明の効果】
【００２０】
請求項１記載の発明によれば、電源オフのトリガ発生後の機内温度上昇による部品の破損、不具合を防ぐことができ、余分に冷却部を駆動することなく省電力化を実現できる。
【００２１】
請求項２記載の発明によれば、電源オフのトリガ発生後の機内温度上昇による部品の破損、不具合を防ぐことができる。また、規定枚数や規定時間による比較で条件を満たしていれば、機内温度と規定温度とを比較する事なく、且つ余分に冷却部を駆動することなく、省電力化を実現できる。
【００２２】
請求項３記載の発明によれば、電源スイッチを介する電源オフの操作入力後の機内温度上昇による部品の破損、不具合を防ぐことができ、余分に冷却部を駆動することなく省電力化を実現できる。
【００２３】
請求項４記載の発明によれば、シャットオフスイッチを介する電源オフの操作入力後の機内温度上昇による部品の破損、不具合を防ぐことができ、余分に冷却部を駆動することなく省電力化を実現できる。
【００２４】
請求項５記載の発明によれば、一定時間機械操作がないことで電源オフのトリガが発生した後の機内温度上昇による部品の破損、不具合を防ぐことができ、余分に冷却部を駆動することなく省電力化を実現できる。
【００２５】
請求項６記載の発明によれば、予め設定された時刻になったことで電源オフのトリガが発生した後の機内温度上昇による部品の破損、不具合を防ぐことができ、余分に冷却部を駆動することなく省電力化を実現できる。
【００２６】
請求項７記載の発明によれば、一定時間機械操作がないことで電源オフのトリガが発生した後の機内温度上昇による部品の破損、不具合を防ぐことができ、余分に冷却部を駆動することなく省電力化を実現できる。
【００３０】
請求項８記載の発明によれば、冷却ファンの駆動により、電源オフのトリガ発生後の定着部による機内温度上昇による部品の破損、不具合を防ぐことができ、余分に冷却ファンを駆動することなく省電力化を実現できる。
【００３１】
請求項９記載の発明によれば、電源オフのトリガ発生後の定着部による機内温度上昇での部品の破損、不具合を防ぐことができる。
【発明を実施するための最良の形態】
【００３２】
以下、図を参照して本発明の実施の形態について説明する。但し、この発明は以下の実施の形態に限定しない。また、この発明の実施の形態は発明の最も好ましい形態を表すものであり、発明の用途や用語はこれに限定するものではない。
【００３３】
本実施の形態では、画像形成装置として複写機１を用いる場合について説明するが、本発明の画像形成装置はこれに限定されるものではなく、プリンタなどの少なくとも画像形成機能を有する装置であればよい。
【００３４】
初めに、図１〜３を参照して、複写機１の装置構成について説明する。まず、図１を参照して、複写機１の全体構成について説明する。図１に、複写機１の全体構成を示す。図１に示すように、複写機１は、スキャナ部２０、操作表示部３０、プリンタ部４０、給紙ユニット５０及び後処理ユニット６０、排紙トレイ６２、排紙トレイ６３を備えて構成されている。
【００３５】
スキャナ部２０はＣＣＤ（Charge-Coupled Devices）２３を備えて構成される。ＡＤＦ（Auto Document Feeder）２２は、原稿台に載置された原稿を搬送する。スキャナ部２０はＡＤＦ２２により搬送された原稿を読み取り、ＣＣＤ２３で光電変換して原稿画像データを取得する。また、スキャナ部２０により読み取られた原稿画像データは、各種画像処理が施された後、画像形成用データとしてプリンタ部４０に出力される。
【００３６】
操作表示部３０は、画面上のタッチ入力を受け付けるタッチパネル等を備えて構成され、設定条件の設定画面などの各種操作画面や各種処理結果を表示するようになっている。また、操作表示部３０は、数字ボタン、印刷開始を指示するためのスタートキー、ユーティリティキーなどの各種機能キーを備えており、ユーザーの入力を受け付ける。
【００３７】
プリンタ部４０は、電子写真方式の画像形成を行うものであり、給紙トレイから給紙された用紙を搬送する搬送機構、用紙に画像形成を行う画像形成部４２及び用紙上に形成されたトナー像を定着させる定着部４３、熱源以外の部品の温度上昇を防ぐ為の冷却部４６を備えて構成されている。なお、ここでいう熱源とは、後述する定着ヒータ４７ｃの事であり、本実施の形態において熱源とは定着ヒータ４７ｃの事とする。
【００３８】
また画像形成部４２については、像担持体である感光ドラム４９、感光ドラム４９上の残トナーを除去するクリーニング部４１、温度検知部４５ａ及び、特に図示しない、感光ドラム４９上に形成されたトナー像を用紙に転写する転写部、感光ドラム４９の帯電を行う帯電部、画像データに基づいて感光ドラム表面に露光走査するＬＤ（LASER Diode）などの露光部、感光ドラム４９にトナーを付着させる現像部、を備えて構成されている。
【００３９】
またクリーニング部４１により除去された残トナーは、特に図示しないが、スクリューで搬送される事により廃トナー経路を通り、廃トナーＢＯＸに収容される。廃トナー経路の温度上昇は廃トナーの溶解、廃トナー経路の詰まりの原因になる為、本実施の形態では廃トナー経路近傍に温度検知部４５ａが設置され、廃トナー経路近傍の温度が検知されるものとする。
【００４０】
また、本実施形態ではプリンタ部４０が電子写真方式の画像形成を行うこととしたが、画像形成方式はこれに限定されるものではなく、例えば熱転写方式など、熱源により画像形成装置内の温度が上昇し、不具合が生じるものであれば、他の方式であってもよい。
【００４１】
給紙ユニット５０は、給紙トレイ５１、５２と、給紙トレイ５３〜５５からなる大容量トレイユニット５６と、を備えて構成されている。なお、本実施の形態では、５つの給紙トレイを備えることとしたが、これに限定されるものではなく、その数は特に限定しない。給紙トレイ５１〜５５の各々には、普通紙、裏紙、再生紙、上質紙などの用紙種及びサイズが異なる用紙を収容することが可能である。
【００４２】
後処理ユニット６０は、画像形成された用紙に、ソート処理、パンチ（穴開け）処理、ステープル処理、中折り処理、断裁処理などの各種後処理を施し、小冊子や製本を作成するようになっている。
【００４３】
排紙トレイ６２、排紙トレイ６３は、画像形成部４２により画像を形成された用紙を排出する。
【００４４】
次に、図２に示すブロック図を参照して複写機１の制御構成を含む回路構成について説明する。図２に、複写機１の要部構成のブロック図を示す。
【００４５】
図２に示すように、複写機１は、スキャナ部２０、電源制御部２５、ＡＤＦ２２、操作表示部３０、プリンタ部４０、後処理ユニット６０、プリントコントローラ部７０、本体制御部１００により構成されている。
【００４６】
スキャナ部２０は、ＣＣＤ２３と、画像読取制御部２４と、を備えて構成される。制御部１１０からの指示に従い、ＡＤＦ制御部２１はＡＤＦ２２を駆動させ、画像読取制御部２４はスキャナ部２０を制御して、ＡＤＦ２２により原稿面の光走査を実行させ、読み取られたアナログ画像信号を本体制御部１００の読取処理部１６０に出力する。
【００４７】
電源制御部２５は、制御部１１０からの指示に従い、複写機１全体の電源を制御し、複写機１内の各部品に電力を供給する。
【００４８】
操作表示部３０は、表示部としてのＬＣＤ（Liquid Crystal Display）３１と一体型に構成されるタッチパネルと、電源スイッチ９０と、シャットオフスイッチ９１と、図示しないその他の各種機能キーと、操作部制御部３２と、から構成される。操作部制御部３２は、各種機能キー又はタッチパネルにより操作された操作信号を制御部１１０に出力する。また、操作部制御部３２は、制御部１１０からの指示に従って、各種操作画面、各種処理結果等をＬＣＤ３１に表示させる。
【００４９】
プリンタ部４０は、画像形成部４２、プリンタ制御部４４、温度検知部４５ａ、冷却部４６、熱源４７、駆動部４８と、を備えて構成される。プリンタ制御部４４は、制御部１１０からの指示に従って、画像形成部４２、温度検知部４５ａ、冷却部４６、熱源４７、駆動部４８などのプリンタ部４０の各部を制御する。画像形成の際には、プリンタ部４０の各部の動作を制御し、書込処理部２００から入力された画像データに基づいて画像形成部４２に画像形成を行わせる。なお、ここで、駆動部とは図示しない搬送部等、駆動を伴う部分とする。また、ここでの熱源４７は、後述する定着ヒータ４７ｃ（図３参照）を含むものとする。
【００５０】
後処理ユニット６０は、図示しない各種後処理部と、後処理装置制御部６１と、を備えて構成される。後処理装置制御部６１は、制御部１１０の指示に従って、プリンタ部４０から出力された画像形成済の用紙に各種後処理を施すように各種後処理部を制御する。
【００５１】
プリントコントローラ部７０は、本体制御部１００のＤＲＡＭ制御ＩＣ１８０とＰＣＩバスで接続されており、ＬＡＮ（Local Area Network）等の通信回線上の、ユーザ端末としてのＰＣ（Personal Computer）などの外部装置７６から入力される画像データ等の出力データを、ジョブとして本体制御部１００へ配信する機能を実現する。
【００５２】
本体制御部１００は、制御部１１０、Ｉ／Ｏ部１２０、プログラムメモリ１３０、システムメモリ（ＲＡＭ）１４０、不揮発メモリ１５０、読取処理部１６０、圧縮・伸長ＩＣ１７０、ＤＲＡＭ（Dynamic Random Access Memory）制御ＩＣ１８０、圧縮メモリ１９１及びページメモリ１９２からなる画像メモリ（ＤＲＡＭ）１９０、書込処理部２００を備えて構成されている。
【００５３】
制御部１１０は、ＣＰＵで構成され、複写機１の各部を集中制御する。プログラムメモリ１３０に記憶されているシステムプログラム及び各種アプリケーションプログラムの中から指定されたプログラムを読み出してシステムメモリ１４０に適宜展開し、展開されたプログラムとの協働で、各種処理を実行する。これにより、制御部１１０に接続されたスキャナ部２０、ＡＤＦ制御部２１、電源制御部２５、操作表示部３０、プリンタ部４０及び後処理ユニット６０の各部を集中制御するようになっている。
【００５４】
Ｉ／Ｏ部１２０は、温度検知部４５ａで検知された温度を制御部１１０に出力する。
【００５５】
プログラムメモリ１３０は、ＲＯＭ（Read Only Memory）などの不揮発性メモリなどによって構成され、複写機１において実行する各種処理プログラムが記憶されている。プログラムメモリ１３０には、後述する第１の温度制御処理における第１の温度制御プログラムが記憶されている。
【００５６】
システムメモリ１４０は、プログラムメモリ１３０から読み出されたプログラム、これらプログラムに係るデータ、ジョブデータ又はパラメータなどの情報を一時的に格納するメモリであり、各種プログラム及びデータを展開するためのワークエリアとして機能する。
【００５７】
不揮発メモリ１５０としては、フラッシュメモリ等が用いられる。後述する本実施の形態で用いられる規定温度Ｂ、Ｃは、不揮発メモリ１５０に記憶されている。
【００５８】
読取処理部１６０は、スキャナ部２０のＣＣＤ２３から入力されるアナログ画像信号に、アナログ処理、Ａ／Ｄ変換処理、シェーディング処理等の各種処理を施してデジタル画像データを生成する。生成されたデジタル画像データは、ＤＲＡＭ制御ＩＣ１８０を介し圧縮・伸長ＩＣ１７０に出力される。
【００５９】
圧縮・伸長ＩＣ１７０は、ＤＲＡＭ制御ＩＣ１８０の制御下において、読取処理部１６０又はプリントコントローラ部７０から入力されたデジタル画像データに圧縮処理を施す。また、入力される圧縮画像データに対しては伸長処理を施す。
【００６０】
ＤＲＡＭ制御ＩＣ１８０は、制御部１１０からの指示に従って、圧縮・伸長ＩＣ１７０によるデジタル画像データの圧縮処理及び圧縮画像データの伸長処理を制御するとともに、画像メモリ１９０への画像データの入出力制御を行う。例えば、スキャナ部２０により読み取られ、読取処理部１６０によりＡ／Ｄ変換されたデジタル画像データの保存が指示されると、デジタル画像データの圧縮処理を圧縮・伸長ＩＣ１７０により実行させて、圧縮画像データを画像メモリ１９０の圧縮メモリ１９１に格納させる。また、圧縮メモリ１９１に格納された圧縮画像データのプリント出力が指示されると、圧縮メモリ１９１から圧縮画像データを読み出し、圧縮・伸長ＩＣ１７０により伸長処理を施してページメモリ１９２に格納させる。さらに、ページメモリ１９２に格納された非圧縮画像データのプリント出力が指示されると、ページメモリ１９２から非圧縮画像データを読み出して、書込処理部２００に出力する。
【００６１】
画像メモリ１９０は、ＤＲＡＭ等の圧縮メモリ１９１と、ページメモリ１９２と、を備えて構成される。圧縮メモリ１９１は、圧縮画像データを格納するためのメモリである。ページメモリ１９２は、プリント出力前にプリント出力対象の非圧縮画像データを一時的に格納するためのメモリである。
【００６２】
書込処理部２００は、ＤＲＡＭ制御ＩＣ１８０から入力された非圧縮画像データに基づいて、画像形成のためのプリントデータを生成し、プリンタ部４０（画像形成部４２）に出力する。
【００６３】
次に、図３を参照して、複写機１の電源回路構成について説明する。ここで、図３に示す全体制御基板１１５は、図２の制御部１１０、電源制御部２５、操作部制御部３２を含んで構成されるものとする。
【００６４】
商用電源ＡＣ−ＩＮ８０から供給された交流電力はブレーカ８１を通過し、ＮＦ（Noise filter）８２でノイズがカットされ、分岐部９８を通過した後にＡＣ駆動基板８４、ＤＣ電源１０ａ、ＤＣ電源２０ａ、ＤＣ電源３０ａ、アウトレット出力８５それぞれに供給される。
【００６５】
分岐部９８から出力される交流電力は、並列に接続されたリレー９６またはトレイヒータスイッチ９３を通過し電源トランス８３で変圧された後、ＡＣ駆動基板８４に供給されるか、または直接メインリレー９４を介し、ＡＣ駆動基板８４に供給される。電源トランス８３またはメインリレー９４から供給された交流電力は、ＡＣ駆動基板８４により除湿ヒータ４７ａ、ドラムヒータ４７ｂ、定着ヒータ４７ｃ、それぞれに供給される。
【００６６】
また、分岐部９８から出力される交流電力は、リセットスイッチ９２、リレー９５、コイル９７を介した後、ＤＣ電源１０ａに供給される。リセットスイッチ９２、リレー９５、コイル９７を介して供給された交流電力は、ＤＣ電源１０ａにより直流電力に変換され、その後プリンタ制御部４４、各種センサ４５、冷却部４６、インタロック７５、各種モータ駆動部４８ａ、それぞれに供給される。
【００６７】
また、分岐部９８から出力される交流電力は、リセットスイッチ９２、リレー９５を介した後、ＤＣ電源２０ａに供給される。リセットスイッチ９２、リレー９５を介して供給された交流電力は、ＤＣ電源２０ａにより直流電力に変換され、その後プリンタ制御部４４、ＡＤＵ（Automatic Duplex Copy Unit）制御部７１、光学系７２、ポリゴンモータ７３、インタロック７４、それぞれに供給される。
【００６８】
また、分岐部９８から出力される交流電力は、リセットスイッチ９２を介した後、ＤＣ電源３０ａに供給される。リセットスイッチ９２を介して供給された交流電力は、ＤＣ電源３０ａにより直流電力に変換され、その後制御部１１０、操作表示部３０、それぞれに供給される。
【００６９】
また、分岐部９８から出力される交流電力は、リセットスイッチ９２を介した後、アウトレット出力８５に供給される。アウトレット出力８５からは、外部出力用のＡＣコンセントを介して、外部装置への交流電力の供給が可能となっている。
【００７０】
次に、図３を参照し、複写機１の電源制御構成について説明する。
【００７１】
交流電力の供給、停止は操作表示部３０の電源スイッチ９０、シャットオフスイッチ９１のオン、オフ等の操作により行われる。全体制御基板１１５において、制御部１１０は、電源スイッチ９０、シャットオフスイッチ９１に入力されたオン、オフ等の信号（ＳＷ_ＳＩＧ、ＳＨＵＴ_ＳＩＧ）の検知を、操作部制御部３２を介し、図示しない検知手段により行う。なお、信号制御の基となる制御部１１０に直流電力を供給しているのは、ＤＣ電源３０ａである。
【００７２】
なお、ここでのシャットオフスイッチ９１は、消費電力節約を目的としたパワーセーブモード設定時に利用する為のものである。
【００７３】
全体制御基板１１５において制御部１１０（図２参照）は、電源制御部２５（図２参照）を介し、複写機１の各部への電力供給をそれぞれに対応した制御信号により、全体的に制御する。以下、全体制御基板１１５による電力供給の制御について詳しく説明する。
【００７４】
全体制御基板１１５から出力される制御信号ＲＬ３_ＣＯＮＴにより、リレー９６が制御される。
【００７５】
プリンタ制御部４４から出力される制御信号ＦＡＮ＿ＣＯＮＴにより、冷却部４６への電力供給のオン、オフが制御される。
【００７６】
ＤＣ電源１０ａにおいて、冷却部４６のエラー信号ＦＡＮ＿ＥＭはプリンタ制御部４４へ出力される。
【００７７】
ＤＣ電源１０ａにおいて、各種センサ４５、冷却部４６及び各種モータ駆動部４８ａへの電力供給は、全体制御基板１１５から出力される制御信号ＲＥＭ１により制御される。
【００７８】
また、各種センサ４５は、プリンタ制御部４４を介し、全体制御基板１１５に検知信号を送る。全体制御基板１１５は、各種センサ４５からの検知信号に応じて、複写機１内に制御信号を送り、各部の動作を制御する。例えば、温度検知部４５ａが廃トナー経路近傍の温度上昇を検知した時、その部品を冷却する為に冷却部４６を駆動する必要がある。全体制御基板１１５は、プリンタ制御部４４を介して受けた温度検知部４５ａからの検知信号に基づいて、冷却部４６への電力供給を制御する。その結果、冷却部４６により温度上昇した廃トナー経路近傍を冷却する事が可能となる。
【００７９】
ＤＣ電源１０ａにおいて、画像形成部４２に含まれるインタロック７５への電力供給は、全体制御基板１１５から出力される制御信号ＲＥＭ２により制御される。
【００８０】
ＤＣ電源２０ａにおいて、画像形成部４２に含まれるインタロック７４への電力供給は、全体制御基板１１５から出力される制御信号ＲＥＭ３により制御される。
【００８１】
ＤＣ電源２０ａにおいて、画像形成部４２に含まれるＡＤＵ制御部７１、光学系７２及びポリゴンモータ７３への電力供給は、全体制御基板１１５から出力される制御信号ＲＥＭ４により制御される。
【００８２】
ＤＣ電源２０ａにおいて、プリンタ制御部４４への電力供給は、全体制御基板１１５から出力される制御信号ＲＥＭ５により制御される。
【００８３】
また、ＤＣ電源１０ａにおいて、プリンタ制御部４４への電力供給の制御は、全体制御基板１１５から出力される制御信号２４ＶＲＤ_ＤＲＶによりリレー９５を制御する事によっても行われる。
【００８４】
また、ＡＣ−ＩＮ８０からの交流電力入力が消失した際は、全体制御基板１１５は信号ＡＣ−ＯＦＦを、図示しない検知手段により検知する事により、電源入力の消失を検知する。
【００８５】
次に、本実施の形態の動作を説明する。複写機１内の温度変化と各部の制御動作の説明図について、図４に従来、図５に本実施の形態の例を示す。定着・負荷は熱源としての定着ヒータ４７ｃを含むものとする。上限温度Ａは、廃トナー経路での廃トナー溶解が発生するおそれのある機内温度を表す。規定温度Ｂは、電源をオフした時、その後上限温度Ａに達する温度を表す。規定温度Ｃは、冷却部４６をオフした時、その後上限温度Ａに達しない温度を表す。ここで、温度検知部４５ａによって検知される機内温度とは、廃トナー経路近傍の温度のこととする。
【００８６】
まず、図４を参照して、従来の複写機１内の温度変化と各部の制御動作について説明する。この図では、電源スイッチ９０のオフが操作入力されたと同時に電源、定着・負荷、冷却部４６全ての駆動が停止されている。ここで、電源スイッチ９０のオフ操作入力時の機内温度を見ると、規定温度Ｂ以上になっている。その為、電源スイッチ９０のオフ操作入力後の機内温度が上限温度Ａを超えてしまう。
【００８７】
次に、図５を参照して、本実施の形態の複写機１内の温度変化と各部の制御動作について説明する。ここでは、温度検知部４５ａによって、機内温度は常に検知されている。
【００８８】
まず、電源スイッチ９０のオフが操作入力された時点で、温度検知部４５ａにより検知された機内温度は制御部１１０によりモニタされる。ここで、機内温度は規定温度Ｂを超えてしまっている為、定着・負荷の駆動のみ停止され、電源、冷却部４６の駆動はそのまま続けられる。その後も常に機内温度は温度検知部４５ａにより検知され、規定温度Ｃに達したと確認された後に、電源、冷却部４６の駆動も停止される。
【００８９】
このように、本実施の形態の複写機１においては機内温度が温度検知部４５ａにより常に検知されるので、複写機１内の温度制御が適切に行われる。その結果、例えば廃トナー融解による廃トナー経路の詰まりを、未然に防ぐ事が可能となる。さらに、省電力化も実現できる。
【００９０】
次に、温度制御処理の例を挙げて、本実施の形態の詳細について説明する。なお、後述する第１〜４の温度制御処理については、各フローチャートに、規定温度Ｂ及び規定温度Ｃが使用される。ここでは、規定温度Ｂ≧規定温度Ｃと定義するものとする。
【００９１】
（第１の温度制御処理）
まず、図６のフローチャートを参照して、第１の温度制御処理について説明する。動作説明の前提として、以下のフローチャートに記述されている各処理を実現する為のプログラムは、コンピュータが読み取り可能なプログラムコードの形態でプログラムメモリ１３０に格納されており、制御部１１０は当該プログラムコードに従った動作を逐次実行する。また、制御部１１０は、伝送媒体を介して外部から供給されるプログラム及びデータを利用して、本実施の形態特有の動作を逐次実行する事も可能である。第１の温度制御処理は、電源スイッチ９０のオンが入力された事をトリガとして、プログラムメモリ１３０から読み出されてシステムメモリ１４０に適宜展開された第１の温度制御プログラムと制御部１１０との協働により、実行される。なお、本実施の形態で利用される規定温度Ｂ、Ｃは、不揮発メモリ１５０に記憶されている。
【００９２】
まず、電源スイッチ９０により電源オンの操作入力がされると、冷却部４６が駆動される（ステップＳ１０１）。その後、定着ヒータ４７ｃと、温度調節部（除湿ヒータ４７ａなどの、複写機内部の温度、湿度などを調整する装置。以下温調と略す）と、が駆動される（ステップＳ１０２）。
【００９３】
その後、操作表示部３０または外部機器よりプリント指示があるか否かが判定され（ステップＳ１０３）、プリント指示がある場合は（ステップＳ１０３；ＹＥＳ）、画像形成部４２等によりプリント動作が行われる（ステップＳ１０４）。また、プリント指示がない場合は（ステップＳ１０３；ＮＯ）、電源オフのトリガとして電源スイッチ９０のオフが操作入力されているか否かが判別される（ステップＳ１０５）。同様に、ステップＳ１０４でプリント動作が行われた後も、ステップＳ１０５へ移行される。電源スイッチ９０のオフが操作入力されていない場合（ステップＳ１０５；ＮＯ）、ステップＳ１０２に戻り、上述した処理が繰り返し実行される。電源スイッチ９０のオフが操作入力されている場合は（ステップＳ１０５；ＹＥＳ）、温度検知部４５ａにより検知された機内温度と規定温度Ｂとの比較が行われる（ステップＳ１０６）。
【００９４】
機内温度が規定温度Ｂ未満の場合は（ステップＳ１０６；ＮＯ）、電源がオフされる（ステップＳ１０７）。機内温度が規定温度Ｂ以上の場合は（ステップＳ１０６；ＹＥＳ）、定着ヒータ４７ｃの駆動が停止される（ステップＳ１０８）。
【００９５】
その後、機内温度が規定温度Ｃ以下になっているか否かが判別され（ステップＳ１０９）、機内温度が規定温度Ｃ以下でない場合は（ステップＳ１０９；ＮＯ）、ステップＳ１０９に移行される。この動作が、機内温度が規定温度Ｃ以下になるまで繰り返される。機内温度が規定温度Ｃ以下になった場合（ステップＳ１０９；ＹＥＳ）、電源がオフされる（ステップＳ１１０）。以上で第１の温度制御処理を終了する。
【００９６】
以上、本実施の形態によれば、第１の温度制御処理においては、電源スイッチ９０のオンが操作入力された時機内温度と規定温度Ｂとを比較し、電源がすぐ切れる温度状況であればすぐ電源をオフにし、またすぐに電源を切ると機内温度が上限温度Ａに達してしまう状態の時は、定着ヒータ４７ｃのみオフにした後冷却部４６の駆動はそのままにし、機内温度を常にモニタしている。そして、機内温度が規定温度Ｃ以下になったところで電源、冷却部４６をオフしている。この為、複写機１内の状況に応じた定着ヒータ４７ｃ、冷却部４６の動作の適正な制御が行われる事により、廃トナー経路におけるトナーの溶解、詰まりを防ぐ事ができる。また、常に機内温度がモニタされているので、余分に冷却部４６を駆動することなく、消費電力節約が可能となる。
【００９７】
（第１の変形例）
次に、上記実施の形態の変形例について説明する。図７のフローチャートを参照し、第２の温度制御処理について説明する。装置構成は、上記実施の形態と同様に、複写機１で説明する。但し、第１の温度制御プログラムにかえて第２の温度制御プログラムがプログラムメモリ１３０に記憶されているものとする。第２の温度制御処理は、電源スイッチ９０のオンが入力された事をトリガとして、プログラムメモリ１３０から読み出されてシステムメモリ１４０に適宜展開された第２の温度制御プログラムと制御部１１０との協働により、実行される。
【００９８】
ここで、第１の温度制御処理におけるステップＳ１０１〜Ｓ１０４の動作と第２の温度制御処理におけるステップＳ２０１〜Ｓ２０４の動作とは同様であり、それぞれ順に対応しているものとする。ステップＳ１０６〜Ｓ１１０の動作とステップＳ２０６〜Ｓ２１０の動作も同様で、それぞれ順に対応している。以下、第１の温度制御処理と異なる部分を説明する。但し、ステップＳ２０７、２１０の電源オフについては、パワーセーブの電源オフである。
【００９９】
今、電源オフのトリガとして、シャットオフスイッチ９１のオフが操作入力されたか否かが判別される（ステップＳ２０５）。シャットオフスイッチ９１のオフが操作入力されていない場合（ステップＳ２０５；ＮＯ）、ステップＳ２０２に戻り、操作入力されている場合は（ステップＳ２０５；ＹＥＳ）、ステップＳ２０６に移行される。
【０１００】
以上、本変形例によれば、シャットオフスイッチ９１のオフが操作入力された時においても、第１の温度制御処理と同様に複写機１の状況に応じた冷却部４６、定着ヒータ４７ｃの適正な制御が行われる為、廃トナー経路におけるトナーの詰まりを防ぐ事ができ、また余分に冷却部４６を駆動することなく、消費電力の節約が可能となる。
【０１０１】
（第２の変形例）
次に、第２の変形例について説明する。図８のフローチャートを参照し、第３の温度制御処理について説明する。装置構成は、上記実施の形態と同様に、複写機１で説明する。但し、第１の温度制御プログラムにかえて第３の温度制御プログラムがプログラムメモリ１３０に記憶されているものとする。また、複写機１は、機械操作が一定時間行われていない時自動的に電源がオフされる機能を有し、ここでの電源オフは、パワーセーブの電源オフとする。第３の温度制御処理は、電源スイッチ９０のオンが入力された事をトリガとして、プログラムメモリ１３０から読み出されてシステムメモリ１４０に適宜展開された第２の温度制御プログラムと制御部１１０との協働により、実行される。
【０１０２】
ここで、第１の温度制御処理におけるステップＳ１０１〜Ｓ１０４の動作と第３の温度制御処理におけるステップＳ３０１〜Ｓ３０４の動作とは同様であり、それぞれ順に対応しているものとする。ステップＳ１０６〜Ｓ１１０の動作とステップＳ３０６〜Ｓ３１０の動作も同様で、それぞれ順に対応している。以下、第１の温度制御処理と異なる部分を説明する。但し、ステップＳ３０７、３１０の電源オフについては、パワーセーブの電源オフである。
【０１０３】
今、電源オフのトリガとして、一定時間を計測する図示しないカウンタにより、機械操作が一定時間行われていないか否かが判別される（ステップＳ３０５）。機械操作が一定時間行われている場合（ステップＳ３０５；ＮＯ）、ステップＳ２０２に戻り、行われていない場合は（ステップＳ３０５；ＹＥＳ）、ステップＳ３０６に移行される。
【０１０４】
以上、本変形例によれば、第３の温度制御処理においては、一定時間機械操作が行われていない時、上記第１の温度制御処理と同様の過程で温度検知部４５ａにより機内温度をモニタし、複写機１機内を安全な状態に保った状態で電源オフする事が可能かどうか確認した後、電源をオフにしている。この為、一定時間機械操作が行われていない時自動的に電源がオフされる機能、及び電源オフ時のパワーセーブ機能をもつ複写機１においても、第１の温度制御処理と同様に複写機１の状況に応じて冷却部４６、定着ヒータ４７ｃの適正な制御が行われるので、廃トナー経路におけるトナーの詰まりを防ぐ事ができる。また、余分に冷却部４６を駆動することなく、消費電力の節約が可能となる。
【０１０５】
（第３の変形例）
次に、第３の変形例について説明する。図９のフローチャートを参照し、第４の温度制御処理について説明する。装置構成は、上記実施の形態と同様に、複写機１で説明する。但し、第１の温度制御プログラムにかえて第４の温度制御プログラムがプログラムメモリ１３０に記憶されているものとする。また、複写機１は、ウィークリータイマーの機能をもつ事とする。第４の温度制御処理は、電源スイッチ９０のオンが入力された事をトリガとして、プログラムメモリ１３０から読み出されてシステムメモリ１４０に適宜展開された第４の温度制御プログラムと制御部１１０との協働により、実行される。
【０１０６】
ここで、第１の温度制御処理におけるステップＳ１０１〜Ｓ１０４の動作と第４の温度制御処理におけるステップＳ４０１〜Ｓ４０４の動作とは同様であり、それぞれ順に対応しているものとする。ステップＳ１０６〜Ｓ１１０の動作とステップＳ４０６〜Ｓ４１０の動作も同様で、それぞれ順に対応している。以下、第１の温度制御処理と異なる部分を説明する。
【０１０７】
今、電源オフのトリガとして、ウィークリータイマーオフの設定時刻に到達しているか否かが判別される（ステップＳ４０５）。ここで、ウィークリータイマーオフとは、予め設定された時刻に複写機１の電源を自動的にオフする機能である。ウィークリータイマーオフの設定時刻に到達していない場合（ステップＳ４０５；ＮＯ）、ステップＳ２０２に戻り、到達している場合は（ステップＳ４０５；ＹＥＳ）、ステップＳ４０６に移行される。
【０１０８】
以上、本変形例によれば、第４の温度制御処理においては、予め設定された時刻に電源をオフにするウィークリータイマーの機能をもつ複写機１において、設定された時刻に到達した際、上記第１の温度制御処理と同様の過程で温度検知部４５ａにより機内温度をモニタし、複写機１機内を安全な状態に保った状態で電源オフする事が可能かどうか確認した後、電源をオフにしている。この為、ウィークリータイマー機能をもつ複写機１においても、第１の温度制御処理と同様に、複写機１の状況に応じて冷却部４６、定着ヒータ４７ｃの適正な制御が行われるので、廃トナー経路におけるトナーの詰まりを防ぐ事ができる。また余分に冷却部４６を駆動することなく、消費電力の節約が可能となる。
【０１０９】
（第４の変形例）
次に、第４の変形例について説明する。図１０のフローチャートを参照し、第５の温度制御処理について説明する。装置構成は、上記実施の形態と同様に、複写機１で説明する。但し、第１の温度制御プログラムにかえて第５の温度制御プログラムがプログラムメモリ１３０に記憶されているものとする。第５の温度制御処理は、電源スイッチ９０のオンが入力された事をトリガとして、プログラムメモリ１３０から読み出されてシステムメモリ１４０に適宜展開された第５の温度制御プログラムと制御部１１０との協働により、実行される。
【０１１０】
ここで、第１の温度制御処理におけるステップＳ１０１〜Ｓ１０４の動作と第５の温度制御処理におけるステップＳ５０１〜Ｓ５０４の動作とは同様であり、それぞれ順に対応しているものとする。以下、第１の温度制御処理と異なる部分を説明する。但し、ステップＳ５０７の電源オフについては、パワーセーブの電源オフである。
【０１１１】
今、シャットオフスイッチ９１のオフが操作入力されたか否かについて判別される（ステップＳ５０５）。シャットオフスイッチ９１のオフが操作入力されていない場合は（ステップＳ５０５；ＮＯ）、ステップＳ５０２に戻り、操作入力されている場合は（ステップＳ５０５；ＹＥＳ）、機内温度と規定温度Ｂとの比較が行われる（ステップＳ５０６）。機内温度が規定温度Ｂ以上である場合は（ステップＳ５０６；ＹＥＳ）、ステップＳ５０５で行われたシャットオフスイッチ９１のオフ操作入力の無効処理（電源オフの無効処理）が行われ（ステップＳ５０８）、ステップＳ５０２に戻る。機内温度が規定温度Ｂ未満の場合は（ステップＳ５０６；ＮＯ）、電源がオフされる（ステップＳ５０７）。以上で第５の温度制御処理を終了する。
【０１１２】
以上、本変形例によれば、第５の温度制御処理においては、シャットオフスイッチ９１のオフが操作入力された際、温度検知部４５ａにより機内温度をモニタし、機内温度と規定温度Ｂとを比較し、機内温度が規定温度Ｂ以上であればシャットオフスイッチ９１のオフ操作入力を無効とし、機内温度が規定温度Ｂ未満である場合は電源をオフにしている。この為、複写機１の状況に応じて冷却部４６、定着ヒータ４７ｃの適正な制御が行われるので、廃トナー経路におけるトナーの詰まりを防ぐ事ができ、また余分に冷却部４６を駆動することなく、消費電力の節約が可能となる。
【０１１３】
（第５の変形例）
次に、第５の変形例について説明する。図１１のフローチャートを参照し、第６の温度制御処理について説明する。装置構成は、上記実施の形態と同様に、複写機１で説明する。但し、第１の温度制御プログラムにかえて第６の温度制御プログラムがプログラムメモリ１３０に記憶されているものとする。また、複写機１は、機械操作が一定時間行われていない時、自動的に電源がオフされる機能を有し、ここでの電源オフは、パワーセーブの電源オフとする。第６の温度制御処理は、電源スイッチ９０のオンが入力された事をトリガとして、プログラムメモリ１３０から読み出されてシステムメモリ１４０に適宜展開された第６の温度制御プログラムと制御部１１０との協働により、実行される。
【０１１４】
ここで、第１の温度制御処理におけるステップＳ１０１〜Ｓ１０４の動作と第６の温度制御処理におけるステップＳ６０１〜Ｓ６０４の動作とは同様であり、それぞれ順に対応しているものとする。以下、第１の温度制御処理と異なる部分を説明する。但し、ステップＳ６０７の電源オフについては、パワーセーブの電源オフである。
【０１１５】
今、一定時間を計測する図示しないカウンタにより、機械操作が一定時間行われていないか否かについて判別される（ステップＳ６０５）。機械操作が一定時間内に行われている場合（ステップＳ６０５；ＮＯ）、ステップＳ６０２に戻り、行われていない場合（ステップＳ６０５；ＹＥＳ）、機内温度と規定温度Ｂとの比較が行われる（ステップＳ６０６）。機内温度が規定温度Ｂ以上である場合（ステップＳ６０６；ＹＥＳ）、前記カウンタの初期化が行われ（ステップＳ６０８）、ステップＳ６０２に戻る。機内温度が規定温度Ｂ未満の場合は（ステップＳ６０６；ＮＯ）、電源がオフされる（ステップＳ６０７）。以上で第６の温度制御処理を終了する。
【０１１６】
以上、本変形例によれば、第６の温度制御処理においては、機械操作が行われていない一定時間ごとに上記第５の温度制御処理と同様の過程で温度検知部４５ａにより機内温度をモニタし、複写機１機内を安全な状態に保った状態で電源オフする事が可能かどうか確認した後、電源をオフにしている。この為、複写機１の状況に応じて冷却部４６、定着ヒータ４７ｃの適正な制御が行われるので、廃トナー経路におけるトナーの詰まりを防ぐ事ができ、また余分に冷却部４６を駆動することなく、消費電力の節約が可能となる。
【０１１７】
（第６の変形例）
次に、第６の変形例について説明する。図１２のフローチャートを参照し、第７の温度制御処理について説明する。装置構成は、上記実施の形態と同様に、複写機１で説明する。但し、第１の温度制御プログラムにかえて第７の温度制御プログラムがプログラムメモリ１３０に記憶されているものとする。また、複写機１は、ウィークリータイマーの機能をもつ事とする。第７の温度制御処理は、電源スイッチ９０のオンが入力された事をトリガとして、プログラムメモリ１３０から読み出されてシステムメモリ１４０に適宜展開された第７の温度制御プログラムと制御部１１０との協働により、実行される。
【０１１８】
ここで、第１の温度制御処理におけるステップＳ１０１〜Ｓ１０４の動作と第６の温度制御処理におけるステップＳ７０１〜７０４の動作とは同様であり、それぞれ順に対応しているものとする。以下、第１の温度制御処理と異なる部分を説明する。
【０１１９】
今、ウィークリータイマーオフの設定時刻に到達しているか否かが判別される（ステップＳ７０５）。ウィークリータイマーオフの設定時刻に到達していない場合は（ステップＳ７０５；ＮＯ）、ステップＳ７０２に戻り、到達している場合は（ステップＳ７０５；ＹＥＳ）、機内温度と規定温度Ｂとの比較が行われる（ステップＳ７０６）。機内温度が規定温度Ｂ以上である場合は（ステップＳ７０６；ＹＥＳ）、ステップＳ７０２に戻る。機内温度が規定温度Ｂ未満の場合は（ステップＳ７０６；ＮＯ）、電源がオフされる（ステップＳ７０７）。以上で第７の温度制御処理を終了する。
【０１２０】
以上、本変形例によれば、第７の温度制御処理においては、予め設定された時刻に電源をオフにするウィークリータイマーの機能をもつ複写機において、設定された時刻に到達した際、上記第５の温度制御処理と同様の過程で温度検知部４５ａにより機内温度をモニタし、複写機１機内を安全な状態に保った状態で電源オフする事が可能かどうか確認した後、電源をオフにしている。この為、ウィークリータイマー機能をもつ複写機１においても、複写機１の状況に応じて冷却部４６、定着ヒータ４７ｃの適正な制御が行われるので、廃トナー経路におけるトナーの詰まりを防ぐ事ができる。また余分に冷却部４６を駆動することなく、消費電力の節約が可能となる。
【０１２１】
（第７の変形例）
次に、第７の変形例について説明する。図１３のフローチャートを参照し、第８の温度制御処理について説明する。装置構成は、上記実施の形態と同様に、複写機１で説明する。但し、第１の温度制御プログラムにかえて第８の温度制御プログラムがプログラムメモリ１３０に記憶されているものとする。第８の温度制御処理は、電源スイッチ９０のオンが入力された事をトリガとして、プログラムメモリ１３０から読み出されてシステムメモリ１４０に適宜展開された第８の温度制御プログラムと制御部１１０との協働により、実行される。なお、本変形例で利用される規定枚数及び規定時間は、不揮発メモリ１５０に記憶されている。
【０１２２】
ここで、第１の温度制御処理におけるステップＳ１０１〜Ｓ１０５の動作と第８の温度制御処理におけるステップＳ８０１〜Ｓ８０５の動作とは同様であり、それぞれ順に対応しているものとする。以下、第１の温度制御処理と異なる部分を説明する。
【０１２３】
今、電源スイッチのオフが操作入力された場合（ステップＳ８０５；ＹＥＳ）、プリンタ部４０（図２参照）により連続してプリントされていた枚数が規定枚数以上であるか否かが判別される（ステップＳ８０６）。ここで、規定枚数とは、用紙サイズ、用紙の種類によってあらかじめ決められた枚数である。複写機１において、連続してプリントする際、用紙サイズ、用紙の種類によって装置内の各部位の駆動速度、及びかかる負荷が異なる。その結果、各部位の放熱量も異なる。その為、規定枚数は用紙サイズ、用紙の種類によって、異なって定められている。
【０１２４】
ステップＳ８０４で連続してプリントされていた枚数が規定枚数未満の場合（ステップＳ８０６；ＮＯ）、電源がオフされる。連続してプリントされていた枚数が規定枚数以上である場合は（ステップＳ８０６；ＹＥＳ）、プリント終了からの経過時間が規定時間以下であるか否かについて判別される（ステップＳ８０８）。ここで、規定時間とは連続してプリントされた枚数に係数を掛けた値であり、電源オフされてもその後の複写機内の温度上昇により、各部品の故障、及び不具合を生じる状況とならない様な、十分に機内温度が降下した時間とする。プリント終了からの経過時間がこの規定時間以下でない場合は（ステップＳ８０８；ＮＯ）、電源がオフされる。
【０１２５】
プリント終了からの経過時間が規定時間以下である場合は、定着ヒータ４７ｃがオフされる（ステップＳ８０９）。その後、機内温度が規定温度Ｃ以下になっているか否かが判別され（ステップＳ８１０）、機内温度が規定温度Ｃ以下でない場合は（ステップＳ８１０；ＮＯ）、ステップＳ８１０に移行される。この（ステップＳ８１０；ＮＯ）の動作を、機内温度が規定温度Ｃ以下になるまで繰り返す。機内温度が規定温度Ｃ以下になった場合（ステップＳ８１０；ＹＥＳ）、電源がオフされる（ステップＳ８１１）。以上で第８の温度制御処理を終了する。
【０１２６】
以上、本変形例によれば、第８の温度制御処理においては、電源スイッチ９０のオフが操作入力された時点での連続してプリントされていた枚数と規定枚数との比較、プリント終了からの経過時間と規定時間との比較により、条件を満たしていて複写機の電源を安全にオフできる状態の時のみ電源をオフにしている。一方、条件を満たしていない場合は定着ヒータ４７ｃの電源のみをオフにし、温度検知部４５ａにより機内温度をモニタし、その後機内温度が規定温度Ｃ以下になった時点で電源をオフにしている。この為、複写機１の状況に応じて冷却部４６、定着ヒータ４７ｃの適正な制御が行われるので、廃トナー経路におけるトナーの詰まりを防ぐ事ができ、また余分に冷却部４６を駆動することなく、消費電力の節約が可能となる。また、予め決められた規定枚数や予め算出された規定時間を用いた比較後、条件を満たしている場合は温度の比較を行う事なくすぐに電源をオフする事ができる為、さらなる省電力化が図れる。
【０１２７】
次に、上記実施の形態の第８〜１０の変形例として、第９〜１１の温度制御処理について説明する。ここで、第９〜第１１の温度制御処理については、既に上述した第２〜４の温度制御処理の応用例である為、フローチャートでの説明を省略する。
【０１２８】
（第８の変形例）
次に、第８の変形例について説明する。本変形例の第９の温度制御処理について説明する。装置構成は、上記実施の形態と同様に、複写機１で説明する。但し、第１の温度制御プログラムにかえて第８の温度制御プログラムがプログラムメモリ１３０に記憶されているものとする。第９の温度制御処理は、電源スイッチ９０のオンが入力された事をトリガとして、プログラムメモリ１３０から読み出されてシステムメモリ１４０に適宜展開された第９の温度制御プログラムと制御部１１０との協働により、実行される。なお、本変形例で利用される規定枚数及び規定時間は、不揮発メモリ１５０に記憶されている。
【０１２９】
まず、上述した第２の温度制御処理におけるステップＳ２０１〜Ｓ２０５までの処理が行われる。ステップＳ２０５でシャットオフスイッチ９１のオフが操作入力されていない場合は（ステップＳ２０５；ＮＯ）、ステップＳ２０２に戻り、操作入力がされている場合は（ステップＳ２０５；ＹＥＳ）、上述した第８の温度制御処理におけるステップＳ８０６の動作に移行される。その後は第８の温度制御処理と同様に、ステップＳ８０６〜Ｓ８１１の処理が行われる。但し、ステップＳ８０７、８１１の電源オフについては、パワーセーブの電源オフである。以上で第９の温度制御処理を終了する。
【０１３０】
以上、本変形例によれば、シャットオフスイッチ９１のオン，オフ操作入力時においても、第８の温度制御処理と同様に複写機１の状況に応じて冷却部４６、定着ヒータ４７ｃの適正な制御が行われる為、廃トナー経路におけるトナーの詰まりを防ぐ事ができる。また余分に冷却部４６を駆動することなく、消費電力の節約が可能となる。
【０１３１】
（第９の変形例）
次に、第９の変形例について説明する。本変形例の第１０の温度制御処理について説明する。装置構成は、上記実施の形態と同様に、複写機１で説明する。但し、第１の温度制御プログラムにかえて第１０の温度制御プログラムがプログラムメモリ１３０に記憶されているものとする。また、複写機１は、機械操作が一定時間行われていない時、自動的に電源がオフされる機能を有し、ここでの電源オフは、パワーセーブの電源オフとする。第１０の温度制御処理は、電源スイッチ９０のオンが入力された事をトリガとして、プログラムメモリ１３０から読み出されてシステムメモリ１４０に適宜展開された第１０の温度制御プログラムと制御部１１０との協働により、実行される。なお、本変形例で利用される規定枚数及び規定時間は、不揮発メモリ１５０に記憶されている。
【０１３２】
まず、上述した第３の温度制御処理におけるステップＳ３０１〜Ｓ３０５までの処理が行われる。ステップＳ３０５で一定時間を計測する図示しないカウンタにより、機械操作が一定時間行われていないか否か判別された後、行われている場合は（ステップＳ３０５；ＮＯ）、ステップＳ３０２に戻り、行われていない場合は（ステップＳ３０５；ＹＥＳ）、上述した第８の温度制御処理におけるステップＳ８０６の動作に移行される。その後は第８の温度制御処理と同様に、ステップＳ８０６〜Ｓ８１１の処理が行われる。但し、ステップＳ８０７、８１１の電源オフについては、パワーセーブの電源オフである。以上で第１０の温度制御処理を終了する。
【０１３３】
以上、本変形例によれば、一定時間機械操作が行われていない時自動的に電源がオフされる機能、及び電源オフ時のパワーセーブ機能をもつ複写機１においても、第８の温度制御処理と同様に複写機１の状況に応じて冷却部４６、定着ヒータ４７ｃの適正な制御が行われるので、廃トナー経路におけるトナーの詰まりを防ぐ事ができる。また余分に冷却部４６を駆動することなく、消費電力の節約が可能となる。
【０１３４】
（第１０の変形例）
次に、第１０の変形例について説明する。本変形例の第１１の温度制御処理について説明する。装置構成は、上記実施の形態と同様に、複写機１で説明する。但し、第１の温度制御プログラムにかえて第１１の温度制御プログラムがプログラムメモリ１３０に記憶されているものとする。また、複写機１は、ウィークリータイマーの機能をもつ事とする。第１１の温度制御処理は、電源スイッチ９０のオンが入力された事をトリガとして、プログラムメモリ１３０から読み出されてシステムメモリ１４０に適宜展開された第１１の温度制御プログラムと制御部１１０との協働により、実行される。なお、本変形例で利用される規定枚数及び規定時間は、不揮発メモリ１５０に記憶されている。
【０１３５】
まず、上述した第４の温度制御処理におけるステップＳ４０１〜Ｓ４０５までの処理が行われる。ステップＳ４０５でウィークリータイマーオフの設定時刻に達しているか否かが判別された後、達していない場合は（ステップＳ４０５；ＮＯ）、ステップＳ４０２に戻り、達している場合は（ステップＳ４０５；ＹＥＳ）、上述した第８の温度制御処理におけるステップＳ８０６の動作に移行される。その後は第８の温度制御処理と同様に、ステップＳ８０６〜Ｓ８１１の処理が行われる。以上で第１１の温度制御処理を終了する。
【０１３６】
以上、本変形例によれば、ウィークリータイマー機能をもつ複写機１においても、第８の温度制御処理と同様に複写機１の状況に応じて冷却部４６、定着ヒータ４７ｃの適正な制御が行われるので、廃トナー経路におけるトナーの詰まりを防ぐ事ができる。また余分に冷却部４６を駆動することなく、消費電力の節約が可能となる。
【０１３７】
なお、上記実施形態は本発明の好適な一例であり、これに限定されない。例えば、本実施の形態で記載した冷却部４６は、冷却ファンや水冷など、冷却する機能があるものであれば特に限定されない。また熱源として定着ヒータ４７ｃを用いたが、画像形成装置内の各部品の故障もしくは不具合が生じる原因となり得る、温度上昇を伴う部品であれば、定着ヒータ４７ｃに限定されない。
【０１３８】
また、温度検知部４５ａについても、上記実施の形態では廃トナー経路近傍に設置しているが、温度検知部４５ａの設置部分はこの限りではない。例えば、温度上昇により破損につながる可能性のある各種センサ４５（図３参照）、ＩＣ等の部品など、機内温度上昇により何か不具合が生じる、最も温度が高くなる熱源以外の部品の近傍の温度を検知する位置に設置可能である。
【図面の簡単な説明】
【０１３９】
【図１】複写機の全体構成図である。
【図２】複写機の要部構成を示すブロック図である。
【図３】複写機の電源制御構成を示すブロック図である。
【図４】従来の複写機内の温度変化と各部の制御動作の説明図である。
【図５】本実施の形態の複写機内の温度変化と各部の制御動作の説明図である。
【図６】第１の温度制御処理を示すフローチャートである。
【図７】第２の温度制御処理を示すフローチャートである。
【図８】第３の温度制御処理を示すフローチャートである。
【図９】第４の温度制御処理を示すフローチャートである。
【図１０】第５の温度制御処理を示すフローチャートである。
【図１１】第６の温度制御処理を示すフローチャートである。
【図１２】第７の温度制御処理を示すフローチャートである。
【図１３】第８の温度制御処理を示すフローチャートである。
【符号の説明】
【０１４０】
１  複写機
１０ａ，２０ａ，３０ａ  ＤＣ電源
１００  本体制御部
１１０  制御部
１１５  全体制御基板
１２０  Ｉ／Ｏ部
１３０  プログラムメモリ
１４０  システムメモリ（ＲＡＭ）
１５０  不揮発メモリ
１６０  読取処理部
１７０  圧縮・伸長ＩＣ
１８０  ＤＲＡＭ制御ＩＣ
１９０  画像メモリ
１９１  圧縮メモリ
１９２  ページメモリ
２０  スキャナ部
２００  書込処理部
２１  ＡＤＦ制御部
２２  ＡＤＦ
２３  ＣＣＤ
２４  画像読取制御部
２５  電源制御部
３０  操作表示部
３１  ＬＣＤ
３２  操作部制御部
４０  プリンタ部
４１  クリーニング部
４２  画像形成部
４３  定着部
４４  プリンタ制御部
４５  各種センサ
４５ａ  温度検知部
４６  冷却部
４７  熱源
４７ａ  除湿ヒータ
４７ｂ  ドラムヒータ
４７ｃ  定着ヒータ
４８  駆動部
４８ａ  各種モータ駆動部
４９  感光ドラム
５０  給紙ユニット
５１，５２，５３，５４，５５  給紙トレイ
５６  大容量トレイユニット
６０  後処理ユニット
６１  後処理装置制御部
６２，６３  排紙トレイ
７０  プリントコントローラ部
７１  ＡＤＵ制御部
７２  光学系
７３  ポリゴンモータ
７４，７５  インタロック
７６  外部装置
８０  ＡＣ−ＩＮ
８１  ブレーカ
８２  ＮＦ
８３  電源トランス
８４  ＡＣ駆動基板
８５  アウトレット出力
９０  電源スイッチ
９１  シャットオフスイッチ
９２  リセットスイッチ
９３  トレイヒータスイッチ
９４  メインリレー
９５，９６  リレー
９７  コイル
９８  分岐部
【図１】
0005205949.tif 000002
【図２】
0005205949.tif 000003
【図３】
0005205949.tif 000004
【図４】
0005205949.tif 000005
【図５】
0005205949.tif 000006
【図６】
0005205949.tif 000007
【図７】
0005205949.tif 000008
【図８】
0005205949.tif 000009
【図９】
0005205949.tif 000010
【図１０】
0005205949.tif 000011
【図１１】
0005205949.tif 000012
【図１２】
0005205949.tif 000013
【図１３】
0005205949.tif 000014